(57)【要約】【課題】一本の指による押圧操作によって容易にリフィルの収容部を開放できるホッチキス用のステープルカートリッジを提供する。【解決手段】リフィル５を収容する収容部４を形成した中ケース３を外ケース２に対してスライド可能に支持させ、中ケース３の側壁１０ａ、１０ｂに内側及び外側に揺動可能な揺動片１２ａ、１２ｂを各々形成し、各揺動片１２ａ、１２ｂの下端部に同一方向に向けて形成した係合顎１３ａ、１３ｂを外ケース２に形成した係止部１４に係止させて中ケース３と外ケース２を係合させ、一方の揺動片１２ａが揺動されることによって他方の揺動片１２ｂが連動して揺動作動されるように両揺動片１２ａ、１２ｂを連動させる。【選択図】      図３
2004291100.tif 000002
【特許請求の範囲】
【請求項１】
真直状のステープル針をシート状に連結して成るシート状ステープルを積層したリフィルを装填可能な収容部を形成したホッチキス用ステープルカートリッジにおいて、上記収容部を形成している中ケースを外ケースに対してスライド移動可能に支持させるとともに、前記中ケースの対向した側壁の少なくとも一部に内側及び外側に揺動可能な揺動片を各々形成し、各揺動片の下端部に同一の方向に向いた係合顎を形成してこれらの係合顎を外ケースに形成した係止部に係止させることにより中ケースを外ケースに対して係止させるようになし、前記両揺動片の一方が揺動することによって他方の揺動片が連動して揺動作動されるように両揺動片を連動させたことを特徴とするホッチキス用ステープルカートリッジ。
【請求項２】
前記中ケースに形成した前記両揺動片の間に作動片をスライド可能に配置するとともに、外ケースに前記一方の揺動片と対応した押圧操作部を形成して該外ケースの押圧操作部を押圧操作することによって前記一方の揺動片を内側に向けて変位させ、この一方の揺動片の変位によって作動片を介して他方の揺動片を外側に向けて変位させて、中ケースと外ケースとの係合を解除させるようにしたことを特徴とする請求項１に記載のホッチキス用ステープルカートリッジ。
【発明の詳細な説明】
【０００１】
【発明の属する技術分野】
本発明はシート状のステープルを積層したリフィルを収容するとともにホッチキスに着脱されるようにしたホッチキス用ステープルカートリッジに関し、特にステープルカートリッジ内へのシート状ステープルのリフィルの装填操作が容易に行えるようにしたものである。
【０００２】
【従来の技術】
一般に、電動ホッチキスにおいて使用するステープルは真直状のステープル針を多数並列させてシート状に連結して成るシート状ステープルを積層して簡易包装したリフィルとして形成されており、このリフィルをステープルカートリッジに装填して該ステープルカートリッジを電動ホッチキスに装着することにより、ステープルカートリッジ内のシート状ステープルを順次打出部へ供給し、打出部に供給された真直状のステープル針をコ字状に成形した後に綴じ用紙に向けて打ち出して綴じ用紙を綴じるようにしている。そして、ステープルカートリッジ内のシート状ステープルが無くなったときには、ステープルカートリッジを電動ホッチキスから取り出して、再度シート状ステープルのリフィルをステープルカートリッジに装填するようにしている。
【０００３】
従来のステープルカートリッジは、積層されたシート状ステープルのリフィルを収容するようにした収容部が設けられており、この収容部には開口部が形成され該開口部から積層された状態のシート状ステープルのリフィルを装填するようになっている。そして、上記開口部に開閉可能なカバーが形成されており、カバーによって開口部を閉じた状態でステープルカートリッジが電動ホッチキス本体装着されるようにしている。そして前記収容部を形成している両側壁に内外に揺動することができる可動壁がそれぞれ形成されており、この両可動壁の端部にはそれぞれ先端に係止顎が形成された係合片が突出形成されている。また、前記カバー体には前記係止額と係合される係止口が形成され、カバー体が開口部を閉じた状態で前記可動壁の係止顎が前記係止口と係合することによってカバー体が収容部に係止されるようにされている（例えば、特許文献１参照）。
【０００４】
【特許文献１】
特開２００１−１０５３４５号公報（段落番号０００８、０００９、図２）
【０００５】
【発明が解決しようとする課題】
ところで、上記従来のステープルカートリッジにおいては、電動ホッチキスから取り出したステープルカートリッジ内へ新たなシート状ステープルを装填する際に、収容部の側壁に形成した可動壁を内側へ変形させて可動壁の端部に形成した係止顎をカバー体に形成した開口部から離脱させることによってカバー体を回転させて収容部の開口部を開く操作が必要となる。このように対向した側壁に形成された可動壁を変形させるためには、各々の可動壁に指をあてがって２本の指で摘んで可動壁を内側に向けて押圧させるため指に相当の力が必要である。また、手指に障害を持った人たちにはステープルの装填が行ないづらくなるという問題があった。
【０００６】
本発明は上記従来技術における問題点を解消し、一本の指による押圧操作によって容易にリフィル収容部を開放できて、シート状ステープルのリフィルの装填が簡単に行えるホッチキス用のステープルカートリッジを提供することをその課題とする。
【０００７】
【課題を解決するための手段】
上記課題を解決するため、本発明に係るホッチキス用ステープルカートリッジは、真直状のステープル針をシート状に連結して成るシート状ステープルを積層したリフィルを装填可能な収容部を形成したホッチキス用ステープルカートリッジにおいて、上記収容部を形成している中ケースを外ケースに対してスライド移動可能に支持させるとともに、前記中ケースの対向した側壁の少なくとも一部に内側及び外側に揺動可能な揺動片を各々形成し、各揺動片の下端部に同一の方向に向いた係合顎を形成してこれらの係合顎を外ケースに形成した係止部に係止させることにより中ケースを外ケースに対して係止させるようになし、前記両揺動片の一方が揺動することによって他方の揺動片が連動して揺動作動されるように両揺動片を連動させたことを特徴とする。
【０００８】
また、請求項２の発明は、前記中ケースに形成した前記両揺動片の間に作動片をスライド可能に配置するとともに、外ケースに前記一方の揺動片と対応した押圧操作部を形成して該外ケースの押圧操作部を押圧操作することによって前記一方の揺動片を内側に向けて変位させ、この一方の揺動片の変位によって作動片を介して他方の揺動片を外側に向けて変位させて、中ケースと外ケースとの係合を解除させるようにしたことを特徴とする。
【０００９】
【発明の実施の形態】
以下、図に示す実施例に基づいて本発明を電動ステープラに適用した場合の実施の形態を説明する。図１は本発明の実施例にかかる電動ホッチキス用のステープルカートリッジを示す側面図であり、ステープルカートリッジ１は上端が開口された外ケース２とこの外ケース１の開口内に上方から挿入されている下端部が開口された中ケース３によって構成されている。中ケース３の内側にシート状ステープルのリフィル５を収容する収容部４が形成されており、真直のステープル材をシート状に連結して成るシート状ステープルを積層して簡易包装したリフィル５がこの収容部４内に収容される。
【００１０】
前記外ケース２の内側には前記中ケース３の収容部４に収容されたリフィル５を支持するステープルガイド板６が形成されており、該ステープルガイド板６の前方に突出された端部には打出部７が形成され、前記収容部４に装填されたリフィル５の最下層のシート状ステープルを前記ステープルガイド板６の上面で支持してこのシート状ステープルを前記打出部７まで供給案内するようにしている。更に、前記打出部７に対向した電動ホッチキス本体には真直状のステープルをコ字状に成形するフォーミングプレートと該ステープルを綴じ用紙に向けて打ち出すドライバプレートとが配設されており、打出部７まで供給されたシート状ステープルが前記フォーミングプレートにより門形に成形され、成形されたステープルが前記ドライバプレートによって綴じ用紙に向けて打ち出され、更に綴じ用紙を貫通したステープルの脚部が折り曲げられて綴じ用紙が綴じられる。
【００１１】
リフィル５の収容部４を形成している前記中ケース３は下端部が開放された箱状に形成されており、外ケース２に対して上下方向にスライド可能に支持されている。また、外ケース２の後方側には開口部が形成されており、シート状ステープルのリフィル５をステープルカートリッジ１に装填する際には、図２に示すように中ケース３を外ケース２に対して上方へ移動させて、外ケース２の後壁に形成されている開口部からリフィル５を外ケース２内に装填し、この後中ケース３を下方へスライド移動させることによって、リフィル５が中ケース３の収容部４内に収容されて、中ケース３の内側に配置されているプッシャバネ８を介して下方へ向けて付勢されているプッシャ９によりリフィル５を前記ステープルガイド板６の上面に押圧させるようにしている。
【００１２】
図３及び図４に示すように、合成樹脂により形成されている前記中ケース３の両側壁１０ａ、１０ｂには側壁１０ａ、１０ｂの下端縁から上方に向けて形成したスリット溝１１によって側壁１０ａ、１０ｂから区画されるとともに中ケース３の側壁１０ａ、１０ｂの下端縁よりも下方へ突出された揺動片１２ａ、１２ｂが形成されており、該揺動片１２ａ、１２ｂが中ケース３を形成している合成樹脂材の弾力によって側壁１０ａ、１０ｂの面と直交する方向へ揺動できるようにされている。前記各揺動片１２ａ、１２ｂの下端から僅か上方部分には各々係合顎１３ａ、１３ｂが突出形成されており、一方の側壁１０ａの揺動片に形成されている係合顎１３ａは中ケース３の外側に向けて突出して形成されており、他方の側壁１０ｂに形成された揺動片１２ｂに形成されている係合顎１３ｂは中ケース３の内側に向けて突出させて形成されている。
【００１３】
前記外ケース２の内部に配置されているステープルガイド板６の両側縁には前記中ケース３の揺動片１２ａ、１２ｂと対向した係止部が形成されている。係止部はステープルガイド板６を上下方向に貫通した開口１４ａ、１４ｂによって形成されており、前記揺動片１２ａ、１２ｂに形成されている係合顎１３ａ、１３ｂが開口１４ａ、１４ｂの下面側の縁と係合することによって中ケース３を外ケース２に対して保持させる。前記揺動片１２ａ、１２ｂの係合顎１３ａ、１３ｂの下方には傾斜面１５が形成されており、中ケース３を外ケース２に対して下方向に移動させる際にこの傾斜面１５が開口１４ａ、１４ｂの縁と係合することによって揺動片１２ａ、１２ｂを弾力的に変位させて開口１４ａ、１４ｂ内へ誘導させるように案内させるようにしている。ステープルガイド板６の下面側に突出された揺動片１２ａ、１２ｂの係合顎１３ａ、１３ｂが揺動片１２ａ、１２ｂの弾力によって復帰したときに、係合顎１３ａ、１３ｂがこの開口１４ａ、１４ｂの下面側の縁と係合することによって、中ケース３が外ケース２に対して係合されて中ケース２の上方への移動ができなくされる。
【００１４】
前記外ケース２内に設けられているステープルガイド板６の下面側の外ケース２の底壁２１の上面には作動片１６がスライド自在に設けられており、該作動片１６の両端部が前記両揺動片１２ａ、１２ｂの下端部の内側面に対向するように配置されている。前記一方側の係合顎１３ａと開口１４ａとの係合を解離するように一方側の揺動片１２ａを中ケース３の内側方向へ変位させるとき、該揺動片１２ａの下端部が前記作動片１６の一端側と当接して作動片１６をスライド移動させ、この作動片１６の他端側が他方の揺動片１２ｂと当接してこの揺動片１２ｂを中ケース３の外側へ揺動させ、これによって他方の揺動片１２ｂに形成されている係合顎１３ｂと開口１４ｂとの係合が解離されるようにしている。なお、作動片１６の両端には両揺動片１２ａ、１２ｂの下端部と係合できる傾斜ガイド面１７が形成されており、中ケース３を外ケース２内に装着操作する際にこの傾斜ガイド面１７が揺動片１２ａ、１２ｂの下端部と係合して作動片１６が両揺動片１２ａ、１２ｂの間に配置されるように誘導させるようにしている。
【００１５】
前記一方の揺動片１２ａの外側面には中ケース３の外側に向けて膨出された突起部１８が形成されており、この突起部１８と対向した外ケース２の側壁１９には押圧操作部２０が形成されている。前記外ケース２の押圧操作部２０を内側に向けて押圧操作することによって揺動片１２ａに形成された突起部１８が内側に押圧されて揺動片１２ａの下端部を内側に変位させるようにしている。従ってこの外ケース２の押圧操作部２０を押圧することによって一方の係合顎１３ａが開口１４ａから離脱されるとともに作動片１６を介して他方の揺動片１２ｂも変位されて他方の係合顎１３ｂも開口１４ｂから離脱し、中ケース２が上方へ移動できるようにされている。
【００１６】
上記実施例のステープルカートリッジ１へのシート状ステープルのリフィル５を装填操作する状態を説明する。図３に示すように電動ホッチキスから取り出した状態のステープルカートリッジ１は、中ケース３の両側壁１０ａ、１０ｂに形成した揺動片１２ａ、１２ｂの下端部が外ケース２に形成されているステープルガイド板６の開口１４ａ、１４ｂを貫通して各々の揺動片１２ａ、１２ｂに形成されている係合顎１３ａ、１３ｂが開口１４ａ、１４ｂの下面側の縁と係合されており、これによって中ケース３が外ケース２に係止されている。
【００１７】
シート状ステープルのリフィル５をステープルカートリッジ１に装填するには、図５に示すように外ケース２の一方の側壁１９に形成されている押圧操作部２０を外ケース２の内側に向けて押圧操作する。なおこのとき外ケース２の他側をテーブル面や壁面等に押し当てておくことによって押圧操作部２０を設けた面側からの操作だけで操作が行える。前記押圧操作部２０が押圧されて内側へ変位することによって中ケース３の前記一方の揺動片１２ａに形成された突起部１８が押圧操作部２０によって内側に押圧されて揺動片１２ａの下端部が内側へ向けて変位され、この揺動片１２ａに形成された前記一方の係合顎１３ａが内側へ向けて移動してステープルガイド板６の開口１４ａから離脱される。前記一方の揺動片１２ａの下端部が内側へ変位することによって作動片１６が押圧されてスライドされ、この作動片１６を介して他方の揺動片１２ｂが外側に向けて変位されて、この他方の揺動片１２ｂに形成されている他方の係合顎１３ｂが外側に移動してステープルガイド板６の開口１４ｂから離脱し、これによって中ケース３と外ケース２との係合が解除されて中ケース３が上方へ移動できる。
【００１８】
中ケース３内には収容部４内に収容したシート状ステープルのリフィル５をステープルガイド板６に押圧させているプッシャバネ８が設けられており、このプッシャバネ８の弾発力によって中ケース３自体が常に上方に向けて付勢されているので、上記のように押圧操作部２０を操作することによって両係合顎１３ａ、１３ｂと開口１４ａ、１４ｂとの係合が解除されると中ケース３は上記プッシャバネ８の弾力によって上方へ飛び出すように移動する。更に中ケース３を上端位置まで移動させた状態で図２に示すように後方が開口された外ケース２内のステープルガイド板６の上面へシート状ステープルのリフィル５を装填し、その後中ケース３を外ケースに対して下方向へ移動させると中ケース３の収容部４内にリフィル５が収容されるとともに、前記揺動片１２ａ、１２ｂの下端部に形成された傾斜面１５によって揺動片１２ａ、１２ｂの下端部が開口１４ａ、１４ｂ内へ誘導されて、ステープルガイド板６の下面側まで開口１４ａ、１４ｂを貫通した係合顎１３ａ、１３ｂが開口１４ａ、１４ｂの下面側の縁と係合して中ケース３と外ケース２とが固定されてリフィル５の装填が完了する。
【００１９】
なお、上記カートリッジは電動ステープラに適用した場合の例であるが、通常のステープラに適用することもできる。
【００２０】
【発明の効果】
以上のように、本発明のステープルカートリッジによれば、リフィルの収容部を形成している中ケースを外ケースに対してスライド移動可能に支持させるとともに、この中ケースの対向した側壁に内側及び外側に揺動可能な揺動片を各々形成し、各揺動片の下端部に同一方向に向いた係合顎を形成してこれらの揺動片を外ケースに形成した係止部に係止させることにより中ケースを外ケースに対して係止させるようになし、更に前記両揺動片を連動して作動させるようにしているので、一方側の揺動片を押圧操作して外ケースとの係合を解除させることにより、他方側の揺動片が連動して作動されて外ケースとの係合が解除され、従って、一方の側からの操作のみでシート状ステープルのリフィルをステープルカートリッジへ装填する操作を行うことが可能となる。
【００２１】
また、リフィルを収容する中ケースの側壁に揺動片を形成しこの揺動片の一方を揺動変位させることによって中ケースと外ケースとの係合を解除させるようにしているので、中ケースの収容部内にシート状ステープルが残っている間は、内部のシート状ステープルが邪魔をして揺動片を変位させることができない。このため、中ケースと外ケース間の係合を解除することができず、中ケースを上方へスライド移動させることができない。即ち、揺動片を押圧操作することによって内部にシート状ステープルが残存していることを認識することができる。また、シート状ステープルが残存しているステープルカートリッジの中ケースを不用意に上方へ移動させてしまい、残っているシート状ステープル及びリフィルを落下させて破損することがなくなる。
【００２２】
更に、請求項２の発明によれば、前記中ケースに形成した両揺動片の間に作動片をスライド可能に配置するとともに、外ケースの側壁に一方の揺動片と対応した押圧操作部を形成して、外ケースの押圧操作部を押圧操作することによって前記一方の揺動片を内側に向けて変位させ、この一方の揺動片の変位によって作動片を介して他方の揺動片を外側に向けて変位させて、中ケースと外ケースとの係合を解除させるようにしているので、外ケースの外側から押圧操作部を操作することにより中ケースと外ケースとの係合が解除されて、中ケースをリフィルを装填する位置へ移動させることができ、シート状ステープルのリフィルをステープルカートリッジへ装填する操作を容易に行うことが可能となる。
【図面の簡単な説明】
【図１】本発明の実施例にかかるステープルカートリッジの側面図
【図２】図１と同じステープルカートリッジへリフィルを装填する状態の側面図
【図３】図１におけるＡ−Ａ線上の断面図
【図４】図１と同じステープルカートリッジの主要な構成部品の斜視図
【図５】リフィルを装填するため中ケースと外ケースとの係合を解除操作している状態の図３と同じ断面図
【符号の説明】
１  ステープルカートリッジ
２  外ケース
３  中ケース
４  収容部
５  リフィル
６  ステープルガイド板
１０ａ、１０ｂ  側壁
１２ａ、１２ｂ  揺動片
１３ａ、１３ｂ  係合顎
１４ａ、１４ｂ  開口
１５  傾斜面
１６  作動片
１７  傾斜ガイド面
１８  突起部
２０  押圧操作部
【図１】
2004291100.tif 000003
【図２】
2004291100.tif 000004
【図３】
2004291100.tif 000005
【図４】
2004291100.tif 000006
【図５】
2004291100.tif 000007